(57)【特許請求の範囲】
【請求項１】
複数の画素が配列された表示部と、光源と、当該光源から射出された光を前記画素に導く導光部と、を備え、前記各画素は、光透過特性が異なる複数のカラーフィルタを備える電気光学装置であって、
前記光源は、第１サブ光源および第２サブ光源を備え、
前記導光部は、前記第１サブ光源から射出された光を導く第１導光部と、前記第２サブ光源から射出された光を導く第２導光部と、を備え、
前記第１導光部は、前記第１サブ光源に対応した第１主導光部と、当該第１主導光部に接続された複数の第１副導光部と、を備え、
前記第２導光部は、前記第２サブ光源に対応した第２主導光部と、当該第２主導光部に接続された複数の第２副導光部と、を備え、
前記複数の第１副導光部と前記複数の第２副導光部とが、前記表示部に対して接近あるいは離隔を交互に繰り返すように交差しており、
前記第１サブ光源および前記第２サブ光源は、それぞれ、異なる２種類の単色光源で構成され、
前記第１主導光部および前記第２主導光部は、それぞれ、前記単色光源に対応して積層された単色主導光部を備え、
前記第１副導光部および前記第２副導光部は、それぞれ、前記各単色主導光部に交互に接続されることを特徴とする電気光学装置。
【請求項２】
複数の画素が配列された表示部と、光源と、当該光源から射出された光を前記画素に導く導光部と、を備え、前記各画素は、光透過特性が異なる複数のカラーフィルタを備える電気光学装置であって、
前記光源は、第１サブ光源および第２サブ光源を備え、
前記導光部は、前記第１サブ光源から射出された光を導く第１導光部と、前記第２サブ光源から射出された光を導く第２導光部と、を備え、
前記第１導光部は、前記第１サブ光源に対応した第１主導光部と、当該第１主導光部に接続された複数の第１副導光部と、を備え、
前記第２導光部は、前記第２サブ光源に対応した第２主導光部と、当該第２主導光部に接続された複数の第２副導光部と、を備え、
前記複数の第１副導光部と前記複数の第２副導光部とが、前記表示部に対して接近あるいは離隔を交互に繰り返すように交差しており、
前記第１サブ光源および前記第２サブ光源は、それぞれ、異なる２種類の単色光源で構成され、
前記第１主導光部および前記第２主導光部は、それぞれ、前記単色光源に対応して前記導光部の互いに対向する２辺に沿って形成された単色主導光部を備え、
前記第１副導光部および前記第２副導光部は、それぞれ、前記各単色主導光部に交互に接続されることを特徴とする電気光学装置。
【請求項３】
請求項１または２に記載の電気光学装置において、
前記第１副導光部および前記第２副導光部は、グラスファイバと、当該グラスファイバの表面を覆う表面コート材とで構成され、
前記第１副導光部および前記第２副導光部の前記表示部近傍の位置には、前記表面コート材が除去されて、前記グラスファイバを通る光を射出する発光部が形成されることを特徴とする電気光学装置。
【請求項４】
請求項３に記載の電気光学装置において、
前記第１副導光部および前記第２副導光部の前記発光部上には、光の射出方向を変化させるレンチキュラレンズが設けられていることを特徴とする電気光学装置。
【請求項５】
光源と、当該光源から射出された光を導く導光部と、を備える照明装置であって、
前記光源は、第１サブ光源および第２サブ光源を備え、
前記導光部は、前記第１サブ光源から射出された光を導く第１導光部と、前記第２サブ光源から射出された光を導く第２導光部と、を備え、
前記第１導光部は、前記第１サブ光源に対応した第１主導光部と、当該第１主導光部に接続された複数の第１副導光部と、を備え、
前記第２導光部は、前記第２サブ光源に対応した第２主導光部と、当該第２主導光部に接続された複数の第２副導光部と、を備え、
前記複数の第１副導光部と前記複数の第２副導光部とは、光の射出方向に対して接近あるいは離隔を交互に繰り返すように交差しており、
前記第１サブ光源および前記第２サブ光源は、それぞれ、異なる２種類の単色光源で構成され、
前記第１主導光部および前記第２主導光部は、それぞれ、前記単色光源に対応して積層形成された単色主導光部を備え、
前記複数の第１副導光部および前記複数の第２副導光部は、それぞれ、前記各単色主導光部に交互に接続されることを特徴とする照明装置。
【請求項６】
光源と、当該光源から射出された光を導く導光部と、を備える照明装置であって、
前記光源は、第１サブ光源および第２サブ光源を備え、
前記導光部は、前記第１サブ光源から射出された光を導く第１導光部と、前記第２サブ光源から射出された光を導く第２導光部と、を備え、
前記第１導光部は、前記第１サブ光源に対応した第１主導光部と、当該第１主導光部に接続された複数の第１副導光部と、を備え、
前記第２導光部は、前記第２サブ光源に対応した第２主導光部と、当該第２主導光部に接続された複数の第２副導光部と、を備え、
前記複数の第１副導光部と前記複数の第２副導光部とは、光の射出方向に対して接近あるいは離隔を交互に繰り返すように交差しており、
前記第１サブ光源および前記第２サブ光源は、それぞれ、異なる２種類の単色光源で構成され、
前記第１主導光部および前記第２主導光部は、それぞれ、前記各単色光源に対応して前記導光部の互いに対向する２辺に沿って形成された単色主導光部を備え、
前記複数の第１副導光部および前記複数の第２副導光部は、それぞれ、前記各単色主導光部に交互に接続されることを特徴とする照明装置。
【発明の詳細な説明】
【技術分野】
【０００１】
本発明は、例えば、電気光学装置、電子機器、および照明装置に関する。
【背景技術】
【０００２】
従来より、液晶表示装置等の電気光学装置が知られている。この電気光学装置は、例えば、第１の基板と、この第１の基板に対向して設けられた第２の基板と、第１の基板と第２の基板との間に設けられた液晶と、第１の基板と第２の基板とは反対側に設けられ、これら第１の基板または第２の基板に光を照射するバックライトユニットと、を備える。
第１の基板は、複数の走査線、複数のデータ線、ならびに、走査線およびデータ線の交差に対応して設けられた複数の画素回路を有する。また、第２の基板の第１の基板側には、共通電極が設けられている。これら走査線、データ線、画素回路、および共通電極は、制御回路に接続されている。
【０００３】
以上のような電気光学装置では、例えば、第２の基板の第１基板側には、複数の画素が配列されて構成された表示領域が形成されている。各画素は、それぞれ赤（Ｒ）、緑（Ｇ）、青（Ｂ）のカラーフィルタを含むサブ画素が配列されて構成される。
【０００４】
図１９は、従来例に係るバックライトユニット４０００の構成を示す概略平面図および側面図である。
図１９に示すように、バックライトユニット４０００は、略矩形状の導光部４１００と、この導光部４１００の一端に配置されたバックライト４２００と、を備える。
この導光部４１００は、バックライト４２００に隣接して設けられた主導光部４１１０と、この主導光部４１１０と略平行に配置された複数の芯材４１３０と、主導光部４１１０の一端から芯材４１３０に対し略垂直に延びる副導光部４１２０と、を備え、副導光部４１２０と芯材４１３０とは、上述の第１の基板または第２の基板に対して接近あるいは離隔を交互に繰り返すように交差する。
また、バックライト４２００は、主導光部４１１０の一端に配置され、この主導光部４１１０に光を射出する（特許文献１参照）。
【０００５】
図２０は、従来例に係るカラーフィルタの光透過性を示す図である。
各カラーフィルタは、特定波長の光を通過させるとともに、その他の波長の光を減衰させる。国際照明委員会（ＣＩＥ）では、赤色光として７００．０ｎｍ、緑色光として５４６．１ｎｍ、青色光として４３５．８ｎｍを、それぞれピークとして透過する特性が採用されている。そのため、カラーフィルタは、それぞれ、赤色光の７００．０ｎｍ、緑色光の５４６．１ｎｍ、青色光の４３５．８ｎｍ程度の波長付近の光を通過させ、その他の波長の光をできるだけ減衰するように設計される。
【０００６】
また、バックライト４２００は、例えば、冷陰極蛍光管（ＣＣＦＬ）やＬＥＤ（発光ダイオード）で構成され、所定の輝度特性で光を射出する。
図２１は、３色ＬＥＤの輝度特性を示す図である。３色ＬＥＤは、具体的には、赤（Ｒ）、緑（Ｇ）、青（Ｂ）の３種類のＬＥＤで構成される。
図２２は、冷陰極蛍光管の輝度特性を示す図である。冷陰極蛍光管は、具体的には、赤色光、緑色光、および青色光を射出するように蛍光体が塗布された三波長蛍光管である。
図２１、２２に示すように、バックライトは、国際照明委員会（ＣＩＥ）の規格に従って、７００．０ｎｍ、５４６．１ｎｍ、および４３５．８ｎｍの近傍に輝度ピークが生じるように設計される。
【０００７】
上述のようなバックライトユニット４０００およびカラーフィルタを用いた電気光学装置によれば、バックライト４２００から所定の輝度特性で光を射出すると、この光は、主導光部４１１０を介して副導光部４１２０内で拡散され、副導光部４１２０と芯材４１３０との交差に形成された曲げ部４４３０から射出される。副導光部４１２０から射出された光は、制御回路で制御された液晶シャッタを通過した後、表示領域全面に照射される。表示領域の各画素に入射した光は、カラーフィルタを所定の光透過特性に従って通過して、サブ画素から射出される。
【特許文献１】米国特許第４９０７１３２号
【発明の開示】
【発明が解決しようとする課題】
【０００８】
しかしながら、上述した電気光学装置では、各カラーフィルタには、バックライト４２００から射出された同一の輝度特性を有する光が射出されるため、各カラーフィルタは、赤（Ｒ）、緑（Ｇ）、青（Ｂ）の３種類のうちいずれかのみを選択的に透過させ、残りを遮光せねばならない。そのため、光の利用効率は、面積換算では略１／３であり、したがって、バックライト４２００の光の利用効率が低い、という課題があった。
【０００９】
本発明の目的は、バックライトからの光の利用効率の向上が可能な電気光学装置、電子機器、および照明装置を提供することである。
【課題を解決するための手段】
【００１０】
本発明の電気光学装置は、複数の画素が配列された表示部と、光源と、当該光源から射出された光を前記画素に導く導光部と、を備え、前記各画素は、光透過特性が異なる複数のカラーフィルタを備える電気光学装置であって、前記光源は、第１サブ光源および第２サブ光源を備え、前記導光部は、前記第１サブ光源から射出された光を導く第１導光部と、前記第２サブ光源から射出された光を導く第２導光部と、を備え、前記第１導光部は、前記第１サブ光源に対応した第１主導光部と、当該第１主導光部に接続された複数の第１副導光部と、を備え、前記第２導光部は、前記第２サブ光源に対応した第２主導光部と、当該第２主導光部に接続された複数の第２副導光部と、を備え、前記複数の第１副導光部と前記複数の第２副導光部とが、前記表示部に対して接近あるいは離隔を交互に繰り返すように交差することを特徴とする。
【００１１】
この発明によれば、第１サブ光源から射出された光は、第１主導光部を介して第１副導光部内を通り、第１副導光部の表示部に接近した領域から射出される。その後、この光は、表示部の各画素に入射し、各種カラーフィルタのうち、第１サブ光源と対応したカラーフィルタを透過する。
また、第２サブ光源から射出された光は、第２主導光部を介して第２副導光部内を通り、第２副導光部の表示部に接近した領域から射出する。その後、この光は、表示部の各画素に入射し、各種カラーフィルタのうち、第２サブ光源と対応したカラーフィルタを透過する。
【００１２】
よって、第１サブ光源と対応したカラーフィルタを透過する光の割合が多くなるように、第１サブ光源の輝度特性を設定し、第２サブ光源と対応したカラーフィルタを透過する光の割合が多くなるように、第２サブ光源の輝度特性を設定するだけで、各カラーフィルタにおいて減衰または遮断される光を削減し、バックライトの光の利用効率を向上できる。
例えば、従来の電気光学装置では、カラーフィルタに赤（Ｒ）、緑（Ｇ）、青（Ｂ）の３種類を用い、バックライトから射出された光は、これら３種類のカラーフィルタのうちのいずれかのみを透過するので、光源での光の利用効率は、面積換算では略１／３であった。しかしながら、本発明では、各カラーフィルタを構成するカラーフィルタの種類を適宜調整して、光源の光の利用効率を向上できる。
【００１３】
本発明の電気光学装置では、前記第１サブ光源および前記第２サブ光源は、それぞれ、異なる２種類の単色光源で構成され、前記第１主導光部および前記第２主導光部は、それぞれ、前記単色光源に対応して積層形成された単色主導光部を備え、前記第１副導光部および前記第２副導光部は、それぞれ、前記各単色主導光部に交互に接続されることが好ましい。
【００１４】
本発明の電気光学装置では、前記第１サブ光源および前記第２サブ光源は、それぞれ、異なる２種類の単色光源で構成され、前記第１主導光部および前記第２主導光部は、それぞれ、前記単色光源に対応して前記導光部の互いに対向する２辺に沿って形成された単色主導光部を備え、前記第１副導光部および前記第２副導光部は、それぞれ、前記各単色主導光部に交互に接続されることが好ましい。
【００１５】
この発明によれば、第１サブ光源を構成する単色光源から射出された２種類の単色光は、それぞれに対応した第１主導光部の単色主導光部を介して第１副導光部を通り、第１副導光部の表示部に接近した領域から射出される。これら射出された２種類の光は、それぞれ、表示部に入射する。
また、第２サブ光源を構成する単色光源から射出された２種類の単色光は、それぞれに対応した第２主導光部の単色主導光部を介して第２副導光部を通り、第２副導光部の表示部に接近した領域から射出される。これら射出された２種類の光は、それぞれ、表示部に入射する。
【００１６】
よって、第１サブ光源および第２サブ光源から射出された４種類の単色光は、それぞれ、異なる光路を通り、混色されることなく表示部に入射する。したがって、表示部に入射した光から、特定色のみを選択的に透過させる必要がなくなるため、光源の光の利用効率をさらに向上できる。
【００１７】
本発明の電気光学装置では、前記第１副導光部および前記第２副導光部は、グラスファイバと、当該グラスファイバの表面を覆う表面コート材とで構成され、前記第１副導光部および前記第２副導光部の前記表示部近傍の位置には、前記表面コート材が除去されて、前記グラスファイバを通る光を射出する発光部が形成されることが好ましい。
【００１８】
この発明によれば、第１副導光部および第２副導光部を、表面コート材で覆われたグラスファイバで構成したため、第１サブ光源および第２サブ光源から射出された光は、これら第１副導光部および第２副導光部内を略均一に拡散する。また、コート材を除去することにより、発光部を形成したので、表示部に略均一に光を照射できる。
また、第１副導光部および第２副導光部をグラスファイバで形成したので、導光部の可撓性を向上でき、したがって、曲面形状を有する電気光学装置を提供できる。
【００１９】
本発明の電気光学装置では、前記第１副導光部および前記第２副導光部の前記発光部上には、光の射出方向を変化させるレンチキュラレンズが設けられていることが好ましい。
【００２０】
発光部からは、第１副導光部および第２副導光部内を拡散する光が射出されるため、この発光部内で射出される光の射出方向が異なる。この発明によれば、発光部上に光の射出方向を変化させるレンチキュラレンズを設けたので、この発光部から射出する光の射出方向を揃えることができる。
【００２１】
本発明の電気光学装置は、複数の画素が配列された表示部と、光源と、当該光源から射出された光を前記画素に導く導光部と、を備える電気光学装置であって、前記複数の画素は、３種類以上の画素を含み、前記光源は、前記導光部の１辺に沿って配置され、前記導光部は、前記光源に対応した主導光部と、前記光源に沿って配置された複数の芯材と、前記主導光部に接続された複数の副導光部と、を備え、前記副導光部と前記芯材とは、前記表示部に対して接近あるいは離隔を交互に繰り返すように交差し、前記光源は、異なる３種類以上の単色光源で構成され、前記主導光部は、前記光源を構成する単色光源に対応して積層形成された単色主導光部を備え、前記副導光部は、前記各単色主導光部に対して順番に接続されることを特徴とする。
【００２２】
この発明によれば、サブ光源から射出された３種類の単色光は、それぞれに対応した単色主導光部を介して、これら単色主導光部に接続された副導光部内を拡散し、表示部に接近した領域から射出し、表示部に入射する。
よって、表示部には、異なる輝度特性を有する単色光が入射される。したがって、入射する光を、カラーフィルタなどで特定色の光のみを選択的に透過させる必要がないため、光源の光の利用効率を向上できる。
【００２３】
本発明の電気光学装置では、前記表示部には、前記３種類以上の画素に加え、外部からの光を反射する反射画素を含むことが好ましい。
【００２４】
この発明によれば、外部からの光を反射する反射画素を設けたので、表示部には、光源から入射した光以外に、外部から入射し反射画素により反射された光も入射する。したがって、光源の光の利用効率をさらに向上できる。
【発明を実施するための最良の形態】
【００２５】
以下、本発明の実施形態を図面に基づいて説明する。なお、以下の実施形態の説明にあたって、同一構成要件については同一符号を付し、その説明を省略もしくは簡略化する。
【００２６】
＜１．第１実施形態＞
図１は、本発明の第１実施形態に係る電気光学装置１の全体構成を示す斜視図であり、図２は、図１のＺ−Ｚ´断面図である。
電気光学装置１は、画素電極１１等が形成された素子基板１０と、この素子基板１０に対向配置されかつ共通電極２１等が形成された対向基板２０と、素子基板１０および対向基板２０の間に設けられた電気光学物質としての液晶３０と、素子基板１０の下側（対向基板２０とは反対側）に設けられて液晶３０に光を照射するバックライトユニット４０と、を有する。
素子基板１０は、ガラスや半導体等で形成され、この素子基板１０上には、ＴＦＴ（Thin  Film  Transistor：薄膜トランジスタ）を用いて各種の回路等が形成される。また、対向基板２０は、ガラス等の透明性の材料で形成される。
【００２７】
対向基板２０の外周部には、素子基板１０および対向基板２０の間隙を封止するシール部材３２が設けられている。このシール部材３２は、素子基板１０および対向基板２０とともに、液晶３０が封入される空間を形成する。シール部材３２には、素子基板１０および対向基板２０の間隔を保持するため、スペーサ３３が混入されている。なお、シール部材３２には、液晶３０を封入するための開口部が形成されており、この開口部は、液晶３０の封入後に封止材３４で封止されている。
【００２８】
ここで、素子基板１０の対向基板２０側の表面であって、シール部材３２の一辺の外側には、Ｘ方向に延在する、データ線を駆動するデータ線駆動回路２００が形成されている。さらに、この一辺には複数の接続電極２０１が形成されて、この接続電極２０１を通して図示しない制御回路からの各種信号や画像信号が入力される。また、シール部材３２の前記一辺の両側の辺には、Ｙ方向に延在する、走査線を駆動する走査線駆動回路１００が形成されている。
【００２９】
対向基板２０の表面には、表示部としての表示領域２２が形成されている。
また、この表示領域２２上には、図示しない保護膜が形成され、この保護膜上に共通電極２１が形成される。この共通電極２１は、素子基板１０の四隅のうち、少なくとも１箇所において設けられた導通材を介して、素子基板１０と電気的に導通している。また、素子基板１０および対向基板２０の対向面側には、それぞれ、所定の方向にラビング処理された配向膜等が設けられ、それぞれの背面側には、配向方向に応じた偏光板が設けられる。
【００３０】
図３は、表示領域２２の概略平面図である。
表示領域２２は、複数の画素２３が配列されて構成され、各画素２３は、赤（Ｒ）、緑（Ｇ）、青（Ｂ）およびシアン（Ｃ）の光透過特性が異なる４種類のカラーフィルタ２４Ｒ、２４Ｇ、２４Ｂ、２４Ｃのうちいずれかを含んで構成される。
具体的には、これらカラーフィルタ２４Ｒ、２４Ｂ、２４Ｇ、２４Ｃは、略田の字状に配列される。
【００３１】
ここで、４種類のカラーフィルタを第１フィルタ群６１と第２フィルタ群６２とに分ける。つまり、赤（Ｒ）およびシアン（Ｃ）のカラーフィルタ２４Ｒ、２４Ｃを第１フィルタ群６１とし、青（Ｂ）および緑（Ｇ）のカラーフィルタ２４Ｂ、２４Ｇを第２フィルタ群６２とする。すると、カラーフィルタ２４Ｒ、２４Ｇ、２４Ｂ、２４Ｃを１つの単位としてみると、第１フィルタ群６１は、図３中の上方左側および下方右側に配置され、第２フィルタ群６２は、図３中の上方右側および下方左側に配置される。
【００３２】
図４は、バックライトユニット４０の概略平面図および側面図である。
バックライトユニット４０は、略矩形状の導光部４１と、この導光部４１の互いに隣り合う２辺に沿って配置された第１サブ光源としての第１バックライト４２および第２サブ光源としての第２バックライト４３と、を備える。
【００３３】
第１バックライト４２および第２バックライト４３は、それぞれ、異なる２種類の単色光源で構成されている。
具体的には、第１バックライト４２は、複数の赤（Ｒ）およびシアン（Ｃ）のＬＥＤ４２１、４２２が交互に配置されて構成される。これにより、第１バックライト４２は、赤色光およびシアン色光を射出する。
また、第２バックライト４３は、複数の青（Ｂ）および緑（Ｇ）のＬＥＤ４３１、４３２が交互に配置されて構成される。これにより、第１バックライト４２は、青色光および緑色光を射出する。
【００３４】
導光部４１は、バックライト４２、４３から射出された光を導くものであり、第１バックライト４２から射出された光を第１フィルタ群６１に導く第１導光部４４と、第２バックライト４３から射出された光を第２フィルタ群６２に導く第２導光部４５と、を有する。
【００３５】
第１導光部４４は、第１バックライト４２に対応した第１主導光部４４１と、この第１主導光部４４１に接続された複数の第１副導光部４４２と、を備える。具体的には、これら第１副導光部４４２は、第１主導光部４４１の延びる方向に対して直交する方向に延びるとともに、所定間隔おきに略平行に設けられる。これにより、第１副導光部４４２は、第１主導光部４４１に対して櫛の歯状に設けられている。また、第１主導光部４４１は、第１バックライト４２に隣接して配置される。
【００３６】
第２導光部４５は、第２バックライト４３に対応した第２主導光部４５１と、この第２主導光部４５１に接続された複数の第２副導光部４５２と、を備える。具体的には、これら第２副導光部４５２は、第２主導光部４５１の延びる方向に対して直交する方向に延びるとともに、所定間隔おきに略平行に設けられる。これにより、第２副導光部４５２は、第２主導光部４５１に対して櫛の歯状に設けられている。また、第２主導光部４５１は、第２バックライト４３に隣接して配置される。
【００３７】
複数の第１副導光部４４２と複数の第２副導光部４５２とは、表示領域２２に対して接近あるいは離隔を交互に繰り返すように交差する。
これにより、第１副導光部４４２の表示領域２２に対して接近した領域には、第１副導光部４４２に射出された光を第１フィルタ群６１に導く曲げ部４４３が形成され、第２副導光部４５２の表示領域２２に対して接近した領域には、第２副導光部４５２に射出された光を第２フィルタ群６２に導く曲げ部４５３が形成される。
【００３８】
図５は、表示領域２２にバックライトユニット４０を重ねた状態を示す概略平面図である。
第１副導光部４４２の曲げ部４４３は、表示領域２２の第１フィルタ群６１の裏面に配置され、第２副導光部４５２の曲げ部４５３は、表示領域２２の第２フィルタ群６２の裏面に配置される。
【００３９】
以上の電気光学装置１の動作は、以下のようになる。
第１バックライト４２は、赤（Ｒ）およびシアン（Ｃ）の光を射出する。すると、この光は、導光部４１の第１導光部４４に入射し、第１導光部４４の第１主導光部４４１および第１副導光部４４２を通り、第１副導光部４４２の表示領域２２に接近した領域に形成された曲げ部４４３から射出し、液晶３０による液晶シャッタを通過する。その後、この光は、表示領域２２の各画素２３に入射し、第１フィルタ群を構成する赤（Ｒ）またはシアン（Ｃ）のカラーフィルタ２４Ｒ、２４Ｃを透過する。
一方、第２バックライト４３は、青（Ｂ）および緑（Ｇ）の光を射出する。すると、この光は、導光部４１の第２導光部４５に入射し、第２導光部４５の第２主導光部４５１および第２副導光部４５２を通り、第２副導光部４５２の表示領域２２に接近した領域に形成された曲げ部４５３から射出し、液晶３０による液晶シャッタを通過する。その後、この光は、表示領域２２の各画素２３に入射し、第２フィルタ群６２を構成する青（Ｂ）または緑（Ｇ）のカラーフィルタ２４Ｂ、２４Ｇを透過する。
【００４０】
本実施形態によれば、以下のような効果がある。
（１）第１フィルタ群６１を構成する赤（Ｒ）およびシアン（Ｃ）のカラーフィルタ２４Ｒ、２４Ｃには、第１バックライト４２から射出された光のみが入射し、第２フィルタ群６２を構成する青（Ｂ）および緑（Ｇ）のカラーフィルタ２４Ｂ、２４Ｇには、第２バックライト４３から射出された光のみが入射する。
ここで、第１バックライト４２を、赤（Ｒ）およびシアン（Ｃ）のＬＥＤ４２１、４２２で構成し、第２バックライト４３を、青（Ｂ）および緑（Ｇ）のＬＥＤ４３１、４３２で構成した。これにより、各カラーフィルタ２４Ｒ、２４Ｃ、２４Ｂ、２４Ｇにおいて減衰または遮断される光を削減し、第１バックライト４２および第２バックライト４３の光の利用効率を２倍程度にまで向上できる。
【００４１】
＜２．第２実施形態＞
図６は、本発明の第２実施形態に係る表示領域２２Ａの概略平面図である。
本実施形態では、表示領域２２Ａの構成、および、バックライトユニット４０Ａの構成が第１実施形態と異なる。
【００４２】
表示領域２２Ａは、複数の画素２３Ａが配列されて構成され、各画素２３Ａは、赤（Ｒ）、緑（Ｇ）、青（Ｂ）およびシアン（Ｃ）の輝度特性が異なる４種類の光がそれぞれ入射される画素２５Ｒ、２５Ｇ、２５Ｂ、２５Ｃのうちいずれかを含んで構成される。
具体的には、これら画素２５Ｒ、２５Ｇ、２５Ｂ、２５Ｃは、略田の字状に配列される。
【００４３】
ここで、４種類の光がそれぞれ入射される画素２５Ｒ、２５Ｇ、２５Ｂ、２５Ｃを第１画素群６３と第２画素群６４とに分ける。つまり、赤（Ｒ）およびシアン（Ｃ）の光が入射される画素２５Ｒ、２５Ｃを第１画素群６３とし、青（Ｂ）および緑（Ｇ）の光が入射される画素２５Ｂ、２５Ｇを第２画素群６４とする。すると、画素２５Ｒ、２５Ｇ、２５Ｂ、２５Ｃを１つの単位としてみると、第１画素群６３は、図６中の上方左側および下方右側に配置され、第２画素群６４は、図６中の上方右側および下方左側に配置される。
【００４４】
図７は、バックライトユニット４０Ａを示す概略平面図および側面図である。
バックライトユニット４０Ａは、略矩形状の導光部４１Ａと、この導光部４１Ａの互いに隣り合う２辺に沿って配置された第１バックライト４２および第２バックライト４３と、導光部４１Ａの表示領域２２Ａ側に配置される後述のレンチキュラレンズ４７と、を備える。
【００４５】
導光部４１Ａは、バックライト４２、４３から射出された光を面発光させるものであり、第１バックライト４２から射出された光を第１画素群６３に導く第１導光部４４Ａと、第２バックライト４３から射出された光を第２画素群６４に導く第２導光部４５Ａと、を有する。
【００４６】
第１導光部４４Ａは、第１バックライト４２に沿って延びる第１主導光部４４１Ａと、この第１主導光部４４１Ａから略直交方向に延びて第１画素群６３の２種類の画素２５Ｒ、２５Ｃに交互に至る複数の第１副導光部４４２Ａと、を備える。具体的には、これら第１副導光部４４２Ａは、第１主導光部４４１Ａの延びる方向に対して直交する方向に延びるとともに、所定間隔おきに略平行に設けられる。これにより、第１副導光部４４２Ａは、第１主導光部４４１Ａに対して櫛の歯状に設けられている。
【００４７】
第２導光部４５Ａは、第２バックライト４３に沿って延びる第２主導光部４５１Ａと、この第２主導光部４５１Ａから略直交方向に延びて第２画素群６４の２種類の画素２５Ｂ、２５Ｇに交互に至る複数の第２副導光部４５２Ａと、を備える。具体的には、これら第２副導光部４５２Ａは、第２主導光部４５１Ａの延びる方向に対して直交する方向に延びるとともに、所定間隔おきに略平行に設けられる。これにより、第２副導光部４５２Ａは、第２主導光部４５１Ａに対して櫛の歯状に設けられている。
【００４８】
また、第１副導光部４４２Ａおよび第２副導光部４５２Ａは、グラスファイバと、このグラスファイバの表面を覆うコート材とで構成されている。
【００４９】
第１主導光部４４１Ａは、第１バックライト４２に対応して積層形成された単色主導光部４４８Ｒ、４４８Ｃを備える。
第１副導光部４４２Ａは、それぞれ、各単色主導光部４４８Ｒ、４４８Ｃに交互に接続される。
また、単色主導光部４４８Ｒは、赤（Ｒ）のＬＥＤ４２１に隣接して配置され、単色主導光部４４８Ｃは、シアン（Ｃ）のＬＥＤ４２２に隣接して配置される。
【００５０】
第２主導光部４５１Ａは、第２バックライト４３に対応して積層形成された単色主導光部４５８Ｂ、４５８Ｇを備える。
第２副導光部４５２Ａは、それぞれ、各単色主導光部４５８Ｒ、４５８Ｇに交互に接続される。
また、単色主導光部４５８Ｂは、青（Ｂ）のＬＥＤ４３１に隣接して配置され、単色主導光部４５８Ｇは、緑（Ｇ）のＬＥＤ４３２に隣接して配置される。
【００５１】
第１導光部４４Ａの第１副導光部４４２Ａと第２導光部４５Ａの第２副導光部４５２Ａとは、表示領域２２Ａに対して接近あるいは離隔を交互に繰り返すように交差する。
これにより、第１副導光部４４２Ａの表示領域２２Ａに対して接近した領域には、第１副導光部４４２Ａに射出された光を第１画素群６３に導く曲げ部４４３Ａが形成され、第２副導光部４５２Ａの表示領域２２Ａに対して接近した領域には、第２副導光部４５２Ａに射出された光を第２画素群６４に導く曲げ部４５３Ａが形成される。
【００５２】
第１副導光部４４２Ａおよび前記第２副導光部４５２Ａの表示領域２２Ａ近傍の位置には、コート材が除去されて、グラスファイバを通る光を射出する発光部４４４、４５４が形成される。具体的には、具体的には、第１副導光部４４２Ａの曲げ部４４３Ａに発光部４４４が形成され、第２副導光部４５２Ａの曲げ部４５３Ａに発光部４５４が形成される。
図８に示すように、ローラ９０を導光部４１Ａの表面に当接させた状態で、この導光部４１Ａを引出すことによって、第１副導光部４４２Ａおよび第２副導光部４５２Ａの表面のコート材は除去される。これにより、これら発光部４４４、４５４は形成される。
【００５３】
図９は、レンチキュラレンズ４７の構成を示す概略平面図および側面図である。
図１０は、バックライトユニット４０Ａの側面図である。
図１０に示すように、第１副導光部４４２Ａおよび第２副導光部４５２Ａの発光部４４４、４５４上には、光の射出方向を変化させるレンチキュラレンズ４７が設けられている。
【００５４】
レンチキュラレンズ４７は、複数のレンズ４８が配置されて構成され、各レンズ４８は、厚みが一様でない４種類のサブレンズ４９Ｒ、４９Ｇ，４９Ｂ、４９Ｃのうちいずれかを含んで構成される。
具体的には、これらサブレンズ４９Ｒ、４９Ｇ，４９Ｂ、４９Ｃは、導光部４１Ａに形成された発光部４４４、４５４のそれぞれと対応して、略田の字状に配列される。これにより、各サブレンズ４９Ｒ、４９Ｇ，４９Ｂ、４９Ｃには、発光部４４４、４５４から射出された赤（Ｒ）、緑（Ｇ）、青（Ｂ）およびシアン（Ｃ）の光が通過する。
【００５５】
ここで、４種類のサブレンズを第１レンズ群７１と第２レンズ群７２とに分ける。つまり、赤（Ｒ）およびシアン（Ｃ）の光が通過するサブレンズ４９Ｒ、４９Ｃを第１レンズ群７１とし、青（Ｂ）および緑（Ｇ）の光が通過するサブレンズ４９Ｂ、４９Ｇを第２レンズ群７２とする。すると、サブレンズ４９Ｒ、４９Ｇ，４９Ｂ、４９Ｃを１つの単位としてみると、第１レンズ群７１は、図９中の上方左側および下方右側に配置され、第２レンズ群７２は、図９中の上方右側および下方左側に配置される。
【００５６】
各サブレンズ４９Ｒ、４９Ｇ，４９Ｂ、４９Ｃは、略立方体状であり、表示領域２２Ａ側の面は、所定の方向に沿って切り欠かれている。これにより、サブレンズ４９Ｒ、４９Ｇ，４９Ｂ、４９Ｃの表示領域２２Ａ側には、それぞれ、屈折面４９１Ｒ、４９１Ｇ、４９１Ｂ、４９１Ｃが形成されている。
【００５７】
これら屈折面４９１Ｒ、４９１Ｇ、４９１Ｂ、４９１Ｃは、それぞれと対応する発光部４４４、４５４から射出される光の方向に合わせて形成されている。
具体的には、これら発光部４４４、４５４が形成された第１副導光部４４２Ａおよび第２副導光部４５２Ａ内を光が進む方向に対して、屈折面４９１Ｒ、４９１Ｇ、４９１Ｂ、４９１Ｃは、所定の角度で設けられている。
具体的には、屈折面４９１Ｒ、４９１Ｃは、図９中下方に向かうにしたがって薄く形成されており、また、屈折面４９１Ｂ、４９１Ｇは、図９中右方に向かうにしたがって薄く形成されている。
【００５８】
発光部４４４、４５４から射出される光は、これらの光が第１副導光部４４２Ａおよび第２副導光部４５２Ａ内を進む方向に偏っているが、このようなレンチキュラレンズ４７を設けることにより、発光部４４４、４５４から射出された光は、屈折面４９１Ｒ、４９１Ｃ、４９１Ｂ、４９１Ｇで、射出方向が表示領域２２Ａに対し略垂直に揃えることができる。
【００５９】
図１１は、表示領域２２Ａにバックライトユニット４０Ａを重ねた状態を示す概略平面図である。
第１副導光部４４２Ａの曲げ部４４３Ａは、表示領域２２Ａの第１画素群６３の裏面に配置され、第２副導光部４５２Ａの曲げ部４５３Ａは、表示領域２２Ａの第２画素群６４の裏面に配置される。
【００６０】
また、表示領域２２Ａは、カラーフィルタを備えても備えていなくてもよい。すなわち、表示領域２２Ａは、各画素２５Ｒ、２５Ｇ、２５Ｂ、２５Ｃと対応したカラーフィルタを備えてもよい。
【００６１】
以上の電気光学装置の動作は、以下のようになる。
第１バックライト４２は、赤（Ｒ）およびシアン（Ｃ）の光を射出する。すると、これらの光は、それぞれ、第１主導光部４４１Ａの単色主導光部４４８Ｒ、４４８Ｃを介して第１副導光部４４２Ａを通り、第１副導光部４４２Ａの発光部４４４から射出する。発光部４４４から射出された赤（Ｒ）およびシアン（Ｃ）の光は、それぞれ、レンチキュラレンズ４７のサブレンズ４９Ｒ、４９Ｃを通り、屈折面４９１Ｒ、４９１Ｃで射出方向が表示領域２２Ａに対し略垂直に揃えられ、液晶３０による液晶シャッタを通過する。その後、これらの光は、表示領域２２Ａの各画素２３Ａに入射し、第１画素群６３を構成する画素２５Ｒ、２５Ｃを透過する。
一方、第２バックライト４３は、青（Ｂ）および緑（Ｇ）の光を射出する。すると、これらの光は、それぞれ、第２主導光部４５１Ａの単色主導光部４５８Ｂ、４５８Ｇを介して第２副導光部４５２Ａを通り、第２副導光部４５２Ａの発光部４５４から射出する。発光部４５４から射出された青（Ｂ）および緑（Ｇ）の光は、それぞれ、レンチキュラレンズ４７のサブレンズ４９Ｂ、４９Ｇを通り、屈折面４９１Ｂ、４９１Ｇで射出方向が表示領域２２Ａに対し略垂直に揃えられ、液晶３０による液晶シャッタを通過する。その後、これらの光は、表示領域２２Ａの各画素２３Ａに入射し、第２画素群６４を構成する画素２５Ｂ、２５Ｇを透過する。
【００６２】
本実施形態によれば、以下のような効果がある。
（２）第１画素群６３を構成する画素２５Ｒ、２５Ｃのうち、画素２５Ｒには第１バックライト４２のＬＥＤ４２１から射出された光のみが入射し、画素２５Ｃには第１バックライト４２のＬＥＤ４２２から射出された光のみが入射する。
また、第２画素群６４を構成する画素２５Ｂ、２５Ｇのうち、画素２５Ｂには第２バックライト４３のＬＥＤ４３１から射出された光のみが入射し、画素２５Ｇには第２バックライト４３のＬＥＤ４３２から射出された光のみが入射する。
【００６３】
ここで、各画素２５Ｒ、２５Ｃ、２５Ｂ、２５Ｇには、各ＬＥＤ４２１、４２２、４３１、４３２から射出された単色光が入射するため、各画素に入射した光から、特定色のみを選択的に透過させる必要がなくなる。したがって、第１バックライト４２および第２バックライト４３の光の利用効率を３〜４倍程度にまで向上できる。
【００６４】
（３）第１副導光部４４２Ａおよび第２副導光部４５２Ａを、コート材で覆われたグラスファイバで構成した。また、第１副導光部４４２Ａおよび第２副導光部４５２Ａの曲げ部４４３Ａ、４５３Ａに、それぞれ、コート材を除去することで発光部４４４、４５４を形成した。
これにより、第１バックライト４２および第２バックライト４３から射出された光は、これら第１副導光部４４２Ａおよび第２副導光部４５２Ａ内を略均一に拡散し、発光部４４４、４５４から表示領域２２Ａに略均一に射出する。
また、導光部４１Ａの可撓性を向上できる。
【００６５】
（４）第１副導光部４４２Ａおよび第２副導光部４５２Ａの発光部４４４、４５４の上に、光の射出方向を変化させるレンチキュラレンズ４７を設けた。
これにより、発光部４４４、４５４から射出される光の方向を、表示領域２２Ａに対して略垂直に揃えることができる。
【００６６】
（５）第１画素群６３を構成する画素２５Ｒ、２５Ｃのうち、画素２５Ｒには第１バックライト４２のＬＥＤ４２１から射出された光のみが入射し、画素２５Ｃには第１バックライト４２のＬＥＤ４２２から射出された光のみが入射する。
また、第２画素群６４を構成する画素２５Ｂ、２５Ｇのうち、画素２５Ｂには第２バックライト４３のＬＥＤ４３１から射出された光のみが入射し、画素２５Ｇには第２バックライト４３のＬＥＤ４３２から射出された光のみが入射する。
【００６７】
ここで、各画素２５Ｒ、２５Ｃ、２５Ｂ、２５Ｇには、各ＬＥＤ４２１、４２２、４３１、４３２から射出された単色光が入射するため、各画素に入射した光から、特定色のみを選択的に透過させる必要がなくなる。
したがって、表示領域２２Ａにカラーフィルタを設けた場合は、このカラーフィルタを透明にできる。すなわち、各ＬＥＤ４２１、４２２、４３１、４３２から射出された単色光の輝度特性を変化させることなく透過させるカラーフィルタにできる。
【００６８】
＜３．第３実施形態＞
図１２は、本発明の第３実施形態に係るバックライトユニット４０Ｂの概略平面図および側面図である。
本実施形態では、主導光部４４１Ｂ、４５１Ｂの構成、副導光部４４２Ｂ，４５２Ｂの配置、バックライト４２、４３の配置、および、レンチキュラレンズ４７Ｂの屈折面４９１Ｒ、４９１Ｇ，４９１Ｂ、４９１Ｃの方向が第２実施形態と異なる。
【００６９】
第１主導光部４４１Ｂは、第１バックライト４２に対応して導光部４１Ｂの互いに対向する２辺に沿って形成された単色主導光部４４８Ｒ、４４８Ｃを備える。
第１副導光部４４２Ｂは、それぞれ、各単色主導光部４４８Ｒ、４４８Ｃに交互に接続される。
また、単色主導光部４４８Ｒは、赤（Ｒ）のＬＥＤ４２１に隣接して配置され、単色主導光部４４８Ｃは、シアン（Ｃ）のＬＥＤ４２２に隣接して配置される。
【００７０】
第２主導光部４５１Ｂは、第２バックライト４３に対応して導光部４１Ｂの互いに対向する２辺に沿って形成された単色主導光部４５８Ｂ、４５８Ｇを備える。
第２副導光部４５２Ｂは、それぞれ、各単色主導光部４５８Ｂ、４５８Ｇに交互に接続される。
また、単色主導光部４５８Ｂは、青（Ｂ）のＬＥＤ４３１に隣接して配置され、単色主導光部４５８Ｇは、緑（Ｇ）のＬＥＤ４３２に隣接して配置される。
【００７１】
図１３は、レンチキュラレンズ４７Ｂの構成を示す概略平面図である。
図１３に示すように、屈折面４９１Ｒは図１３中下方に向かうにしたがって薄く形成され、屈折面４９１Ｇは図１３中左方に向かうにしたがって薄く形成され、屈折面４９１Ｃは図１３中上方に向かうにしたがって薄く形成され、また、屈折面４９１Ｂは図１３中右方に向かうにしたがって薄く形成されている。
【００７２】
したがって、本実施形態によれば、第２実施形態と同様の効果がある。
【００７３】
＜４．第４実施形態＞
図１４は、本発明の第４実施形態に係る表示領域２２Ｃの概略平面図である。
本実施形態では、表示領域２２Ｃの構成、および、バックライトユニット４０Ｃの構成が第１実施形態と異なる。
【００７４】
表示領域２２Ｃは、複数の画素２３Ｃが配列されて構成され、各画素２３Ｃは、赤（Ｒ）、緑（Ｇ）および青（Ｂ）の輝度特性が異なる３種類の光がそれぞれ入射される画素２５Ｒ、２５Ｇ、２５Ｂ、ならびに、光が入射されない空領域２５Ｎのうちいずれかを含んで構成される。
具体的には、画素２５Ｒおよび空領域２５Ｎを交互に配置した行と、画素２５Ｇおよび空領域２５Ｎを交互に配置した行と、画素２５Ｂおよび空領域２５Ｎを交互に配置した行とが、列方向に沿って順番に配列される。
【００７５】
図１５は、バックライトユニット４０Ｃの概略平面図および側面図である。
バックライトユニット４０Ｃは、略矩形状の導光部４１Ｃと、この導光部４１Ｃの１辺に沿って配置された光源としてのバックライト４２Ｃと、を備える。
【００７６】
バックライト４２Ｃは、異なる３種類以上の単色光源で構成されている。
具体的には、バックライト４２Ｃは、複数の赤（Ｒ）、緑（Ｇ）および青（Ｂ）のＬＥＤ４２１、４２２、４２３が順番に配置されて構成される。これにより、バックライト４２Ｃは、赤色光、緑色光および青色光を射出する。
【００７７】
導光部４１Ｃは、バックライト４２Ｃから射出された光を導くものであり、バックライト４２Ｃに対応する主導光部４４１Ｃと、バックライト４２Ｃに沿って配置された複数の芯材４４５と、この主導光部４４１Ｃに接続された複数の副導光部４４２Ｃと、を備える。具体的には、これら副導光部４４２Ｃは、主導光部４４１Ｃの延びる方向に対して直交する方向に延びるとともに、所定間隔おきに略平行に設けられる。これにより、副導光部４４２Ｃは、主導光部４４１Ｃに対して櫛の歯状に設けられる。また、主導光部４４１Ｃは、バックライト４２Ｃに隣接して配置される。
【００７８】
導光部４１Ｃの副導光部４４２Ｃと芯材４４５とは、表示領域２２Ｃに対して接近あるいは離隔を交互に繰り返すように交差する。
これにより、副導光部４４２Ｃの表示領域２２Ｃに対して接近した領域には、第１副導光部４４２Ｃに射出された光を画素２５Ｒ、２５Ｇ、２５Ｂに導く曲げ部４４３Ｃが形成される。
【００７９】
主導光部４４１Ｃは、バックライト４２Ｃを構成するＬＥＤ４２１、４２２、４２３に対応して積層形成された単色主導光部４４８Ｒ、４４８Ｇ、４４８Ｂを備える。
副導光部４４２Ｃは、各単色主導光部４４８Ｒ、４４８Ｇ、４４８Ｂに対して順番に接続される。
また、単色主導光部４４８Ｒは、赤（Ｒ）のＬＥＤ４２１に隣接して配置され、単色主導光部４４８Ｇは、緑（Ｇ）のＬＥＤ４２２に隣接して配置され、単色主導光部４４８Ｂは、青（Ｂ）のＬＥＤ４２３に隣接して配置される。
【００８０】
以上の電気光学装置の動作は、以下のようになる。
バックライト４２Ｃは、赤（Ｒ）、緑（Ｇ）および青（Ｂ）の光を射出する。すると、これらの光は、それぞれ、主導光部４４１Ｃの単色主導光部４４８Ｒ、４４８Ｇ、４４８Ｂに入射し、副導光部４４２Ｃを通り、副導光部４４２Ｃの曲げ部４４３Ｃから射出する。曲げ部４４３Ｃから射出された赤（Ｒ）、緑（Ｇ）および青（Ｂ）の光は、それぞれ、液晶３０による液晶シャッタを通過し、表示領域２２Ｃの画素２５Ｒ、２５Ｇ、２５Ｂを透過する。
【００８１】
本実施形態によれば、以下のような効果がある。
（６）画素２５Ｒにはバックライト４２ＣのＬＥＤ４２１から射出された光のみが入射し、画素２５Ｇにはバックライト４２ＣのＬＥＤ４２２から射出された光のみが入射し、画素２５Ｂにはバックライト４２ＣのＬＥＤ４２３から射出された光のみが入射する。
【００８２】
ここで、各画素２５Ｒ、２５Ｂ、２５Ｇには、各ＬＥＤ４２１、４２２、４２３から射出された単色光が入射するため、カラーフィルタなどで特定色の光のみを選択的に透過させる必要がない。したがって、バックライト４２Ｃの光の利用効率を２〜３倍程度にまで向上できる。
【００８３】
＜５．第５実施形態＞
図１６は、本発明の第５実施形態に係る表示領域２２Ｄの概略平面図である。
本実施形態では、表示領域２２Ｄの構成、バックライトユニット４０Ｄの構成が第４実施形態と異なる。
【００８４】
表示領域２２Ｄは、複数の画素２３Ｄが配列されて構成される。各画素２３Ｄは、赤（Ｒ）、緑（Ｇ）、青（Ｂ）およびシアン（Ｃ）の異なる４種類の光がそれぞれ入射される画素２５Ｒ、２５Ｇ、２５Ｂ、２５Ｃ、ならびに、反射光が透過する反射画素２６ＲＲ、２６ＧＲ、２６ＢＲ、２６ＣＲのうちいずれかを含んで構成される。
反射画素２６ＲＲ、２６ＧＲ、２６ＢＲ、２６ＣＲは、それぞれ、赤（Ｒ）、緑（Ｇ）、青（Ｂ）およびシアン（Ｃ）の光透過特性が異なる４種類のカラーフィルタであり、外部から入射し、素子基板１０で反射された光が透過する領域である。
【００８５】
表示領域２２Ｄには、反射画素２６ＣＲおよび画素２５Ｂを交互に配置した行と、画素２５Ｃおよび反射画素２６ＢＲを交互に配置した行と、反射画素２６ＲＲおよび画素２５Ｇを交互に配置した行と、画素２５Ｒおよび反射画素２６ＧＲを交互に配置した行とが、列方向に沿って順番に配列される。
【００８６】
図１７は、バックライトユニット４０Ｄを示す概略平面図および側面図である。
バックライトユニット４０Ｄは、略矩形状の導光部４１Ｄと、この導光部４１Ｄの１辺に沿って配置された光源としてのバックライト４２Ｄと、導光部４１Ｄの表示領域２２Ｄ側に配置されるレンチキュラレンズ４７Ｄと、を備える。
【００８７】
バックライト４２Ｄは、複数の赤（Ｒ）、緑（Ｇ）、青（Ｂ）およびシアン（Ｃ）のＬＥＤ４２１、４２２、４２３、４２４が順番に配置されて構成される。これにより、バックライト４２Ｄは、赤色光、緑色光、青色光およびシアン色光を射出する。
【００８８】
導光部４１Ｄは、バックライト４２Ｄに対応した主導光部４４１Ｄと、バックライト４２Ｄに沿って配置された複数の芯材４４５と、この主導光部４４１Ｄに接続された複数の副導光部４４２Ｄと、を備える。具体的には、これら副導光部４４２Ｄは、主導光部４４１Ｄの延びる方向に対して直交する方向に延びるとともに、所定間隔おきに略平行に設けられる。これにより、副導光部４４２Ｄは、主導光部４４１Ｄに対して櫛の歯状に設けられる。また、主導光部４４１Ｄは、バックライト４２Ｄに隣接して配置される。
【００８９】
主導光部４４１Ｄは、バックライト４２Ｄを構成するＬＥＤ４２１、４２２、４２３、４２４に対応して積層形成された単色主導光部４４８Ｒ、４４８Ｇ、４４８Ｂ、４４８Ｃを備える。
副導光部４４２Ｄは、各単色主導光部４４８Ｒ、４４８Ｂ、４４８Ｃ、４４８Ｇに対して順番に接続される。
また、単色主導光部４４８Ｒは、赤（Ｒ）のＬＥＤ４２１に隣接して配置され、単色主導光部４４８Ｇは、緑（Ｇ）のＬＥＤ４２２に隣接して配置され、単色主導光部４４８Ｂは、青（Ｂ）のＬＥＤ４２３に隣接して配置され、単色主導光部４４８Ｃは、シアン（Ｃ）のＬＥＤ４２４に隣接して配置される。
【００９０】
副導光部４４２Ｄは、グラスファイバと、このグラスファイバの表面を覆うコート材と、で構成されている。
副導光部４４２Ｄの表示領域２２Ｄ近傍の位置には、コート材が除去されて、グラスファイバを通る光を射出する発光部４４４Ｄが形成される。具体的には、副導光部４４２Ｄの曲げ部４４３Ｄに発光部４４４Ｄが形成されている。
【００９１】
図１７に示すように、副導光部４４２Ｄの発光部４４４Ｄ上には、光の射出方向を変化させるレンチキュラレンズ４７Ｄが設けられている。
レンチキュラレンズ４７Ｄは、屈折面４９１Ｄが形成された複数のレンズ４８Ｄが配置されて構成される。具体的には、各屈折面４９１Ｄは、図１２中右方に向かうにしたがって薄く形成されている。
【００９２】
以上の電気光学装置の動作は、以下のようになる。
バックライト４２Ｄは、赤（Ｒ）、緑（Ｇ）、青（Ｂ）およびシアン（Ｃ）の光を射出する。すると、これらの光は、それぞれ、主導光部４４１Ｄの単色主導光部４４８Ｒ、４４８Ｇ、４４８Ｂ、４４８Ｃに入射し、副導光部４４２Ｄを通り、副導光部４４２Ｄの発光部４４４Ｄから射出する。発光部４４４Ｄから射出された赤（Ｒ）、緑（Ｇ）、青（Ｂ）およびシアン（Ｃ）の光は、レンチキュラレンズ４７Ｄのレンズ４８Ｄを通り、屈折面４９１Ｄで射出方向が表示領域２２Ｄに対し略垂直に揃えられ、液晶３０による液晶シャッタを通過する。その後、これらの光は、表示領域２２Ｄの画素２５Ｒ、２５Ｇ、２５Ｂ、２５Ｃを透過する。
また、外部から入射した光は、反射画素で反射されて、液晶３０による液晶シャッタを通過し、反射用カラーフィルタ２６Ｒ、２６Ｇ、２６Ｂ、２６Ｃを透過する。
【００９３】
本実施形態によれば、以下のような効果がある。
（７）外部からの光を反射する反射画素を設けたので、表示領域２２Ｄには、バックライトユニット４０Ｄから入射した光以外に、外部から入射し反射画素により反射された光も入射する。したがって、バックライトユニット４０Ｄの光の利用効率をさらに向上できる。
【００９４】
＜６．変形例＞
（１）上述した第１実施形態では、画素２３を赤（Ｒ）、緑（Ｇ）、青（Ｂ）およびシアン（Ｃ）の４種類のカラーフィルタ２４Ｒ、２４Ｇ、２４Ｂ、２４Ｃで構成したが、これに限らない。すなわち、以下に示すようなカラーフィルタおよびＬＥＤを用いてもよい。
【００９５】
着色領域は、４色の着色領域で１画素を構成する。４色の着色領域は、波長に応じて色相が変化する可視光領域（３８０−７８０ｎｍ）のうち、青系の色相の着色領域と、赤系の色相の着色領域と、青から黄までの色相の中で選択された２種の色相の着色領域からなる。
ここで系と用いているが、例えば青系であれば純粋に青の色相に限定されるものでなく、青紫や青緑などを含むものである。赤系の色相であれば、赤に限定されるものでなく橙を含む。また、これら着色領域は単一の着色層で構成されても良いし、複数の異なる色相の着色層を重ねて構成されてもよい。また、これら着色領域は色相で述べているが、当該色相は、彩度、明度を適宜変更し、色を設定し得るものである。
【００９６】
図示しないが、先に説明した図３、４、６、７、１２、１６および１７における赤（Ｒ）、青（Ｂ）、緑（Ｇ）、およびシアン（Ｃ）をそれぞれ、赤系の色相の着色領域（Ｒ）、青系の色相の着色領域（Ｂ）および青から黄までの色相の中で選択された２種の色相の着色領域（ＧおよびＣ）に適用してもよい。
【００９７】
具体的な色相の範囲は、青系の色相の着色領域は、青紫から青緑であり、より好ましくは藍から青である。
赤系の色相の着色領域は、橙から赤である。
青から黄までの色相で選択される一方の着色領域は、青から緑であり、より好ましくは青緑から緑である。
青から黄までの色相で選択される他方の着色領域は、緑から橙であり、より好ましくは緑から黄、もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のＲＧＢの着色領域よりも広範囲の色再現性を実現することができる。
【００９８】
広範囲の色再現性を色相で述べたが、以下に、着色領域を透過する波長で表現する。
青系の着色領域は、波長のピークが４１５〜５００ｎｍにある着色領域、好ましくは、４３５〜４８５ｎｍにある着色領域である。
赤系の着色領域は、波長のピークが６００ｎｍ以上にある着色領域で、好ましくは、６０５ｎｍ以上にある着色領域である。
青から黄までの色相で選択される一方の着色領域は、波長のピークが４８５〜５３５ｎｍにある着色領域で、好ましくは、４９５〜５２０ｎｍにある着色領域である。
青から黄までの色相で選択される他方の着色領域は、波長のピークが５００〜５９０ｎｍにある着色領域、好ましくは、５１０〜５８５ｎｍにある着色領域、もしくは５３０〜５６５ｎｍにある着色領域である。
【００９９】
次に、ｘ、ｙ色度図で表現する。
青系の着色領域は、ｘ≦０．１５１、ｙ≦０．０５６にある着色領域であり、好ましくは、０．１３４≦ｘ≦０．１５１、０．０３４≦ｙ≦０．２にある着色領域である。
赤系の着色領域は、０．６４３≦ｘ、ｙ≦０．３３３にある着色領域であり、好ましくは、０．６４３≦ｘ≦０．６９０、０．２９９≦ｙ≦０．３３３にある着色領域である。
青から黄までの色相で選択される一方の着色領域は、ｘ≦０．１６４、０．４５３≦ｙにある着色領域であり、好ましくは、０．０９８≦ｘ≦０．１６４、０．４５３≦ｙ≦０．７５９にある着色領域である。
青から黄までの色相で選択される他方の着色領域は、０．２５７≦ｘ、０．６０６≦ｙにある着色領域であり、好ましくは、０．２５７≦ｘ≦０．３５７、０．６０６≦ｙ≦０．６７０にある着色領域である。
これら４色の着色領域は、サブ画素に透過領域と反射領域を備えた場合、透過領域および反射領域も上述した範囲で適用することができるものである。
【０１００】
上記４色の着色領域の構成の例として、以下のものが挙げられる。
色相が、赤、青、緑、シアン（青緑）の着色領域。
色相が、赤、青、緑、黄の着色領域。
色相が、赤、青、深緑、黄の着色領域。
色相が、赤、青、エメラルド、黄の着色領域。
色相が、赤、青、深緑、黄緑の着色領域。
色相が、赤、青緑、深緑、黄緑の着色領域。
【０１０１】
＜７．応用例＞
次に、上述した実施形態および応用例に係る電気光学装置１を適用した電子機器について説明する。
図１８は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【０１０２】
なお、電気光学装置１が適用される電子機器としては、図１８に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置１が適用可能である。
【図面の簡単な説明】
【０１０３】
【図１】本発明の第１実施形態に係る電気光学装置の全体構成を示す斜視図である。
【図２】図１のＺ−Ｚ´断面図である。
【図３】前記電気光学装置の表示領域の概略平面図である。
【図４】（ａ）は、前記電気光学装置を構成するバックライトユニットの概略平面図であり、（ｂ）および（ｃ）は、その側面図である。
【図５】前記電気光学装置の表示領域に前記バックライトユニットを重ねた状態を示す概略平面図である。
【図６】本発明の第２実施形態に係る表示領域の概略平面図である。
【図７】（ａ）は、前記電気光学装置を構成するバックライトユニットの概略平面図であり、（ｂ）および（ｃ）は、その側面図である。
【図８】前記バックライトユニットの導光部の側面図である。
【図９】（ａ）は、前記バックライトユニットのレンチキュラレンズの概略平面図であり、（ｂ）および（ｃ）は、その側面図である。
【図１０】前記バックライトユニットの側面図である。
【図１１】前記電気光学装置の表示領域に前記バックライトユニットを重ねた状態を示す概略平面図である。
【図１２】（ａ）は、本発明の第３実施形態に係るバックライトユニットの概略平面図であり、（ｂ）および（ｃ）は側面図である。
【図１３】（ａ）は、前記バックライトユニットのレンチキュラレンズの概略平面図であり、（ｂ）および（ｃ）は、側面図である。
【図１４】本発明の第４実施形態に係る電気光学装置の表示領域の概略平面図である。
【図１５】（ａ）は、前記電気光学装置のバックライトユニットの概略平面図であり、（ｂ）は側面図である。
【図１６】本発明の第５実施形態に係る電気光学装置の表示領域の概略平面図である。
【図１７】（ａ）は、前記電気光学装置のバックライトユニットの概略平面図であり、（ｂ）は、その側面図である。
【図１８】前記電気光学装置を適用した携帯電話の構成を示す斜視図である。
【図１９】（ａ）は、従来例に係るバックライトユニットの構成を示す概略平面図であり、（ｂ）は、側面図である。
【図２０】従来例に係るカラーフィルタの光透過特性を示す図である。
【図２１】従来例に係る３色ＬＥＤの輝度特性を示す図である。
【図２２】従来例に係る冷陰極管の輝度特性を示す図である。
【符号の説明】
【０１０４】
１…電気光学装置、２２、２２Ａ、２２Ｃ、２２Ｄ…表示領域（表示部）、２３、２３Ａ、２３Ｃ、２３Ｄ…画素、２４Ｒ、２４Ｇ、２４Ｂ、２４Ｃ…カラーフィルタ、２５Ｒ、２５Ｇ、２５Ｂ、２５Ｃ…画素、２６Ｒ、２６Ｇ、２６Ｂ、２６Ｃ…反射画素、４１、４１Ａ、４１Ｂ、４１Ｃ、４１Ｄ…導光部、４２…第１バックライト（第１サブ光源）、４２Ｃ、４２Ｄ…バックライト（光源）、４３…第２バックライト（第２サブ光源）、４４、４４Ａ、４４Ｂ…第１導光部、４５、４５Ａ、４５Ｂ…第２導光部、４７、４７Ｂ、４７Ｄ…レンチキュラレンズ、４４１、４４１Ａ、４４１Ｂ…第１主導光部、４４２、４４２Ａ、４４２Ｂ…第１副導光部、４５１、４５１Ａ、４５１Ｂ…第２主導光部、４５２、４５２Ａ、４５２Ｂ…第２副導光部、４４３、４４３Ｃ、４４３Ｄ、４５３、４４３Ａ、４５３Ａ…曲げ部、４４８Ｒ、４４８Ｃ、４４８Ｂ、４４８Ｇ、４５８Ｂ、４５８Ｇ…単色主導光部、４４４、４４４Ｄ、４５４…発光部、６１…第１フィルタ群、６２…第２フィルタ群、４２１…赤のＬＥＤ（赤色光源）、４２２…シアンのＬＥＤ（緑色光源）、４２３…青のＬＥＤ（青色光源）、４２４…緑のＬＥＤ（緑色光源）、４３１…青のＬＥＤ（青色光源）、４３２…緑のＬＥＤ（緑色光源）。
【図１】
0004442552.tif 000002
【図２】
0004442552.tif 000003
【図３】
0004442552.tif 000004
【図４】
0004442552.tif 000005
【図５】
0004442552.tif 000006
【図６】
0004442552.tif 000007
【図７】
0004442552.tif 000008
【図８】
0004442552.tif 000009
【図９】
0004442552.tif 000010
【図１０】
0004442552.tif 000011
【図１１】
0004442552.tif 000012
【図１２】
0004442552.tif 000013
【図１３】
0004442552.tif 000014
【図１４】
0004442552.tif 000015
【図１５】
0004442552.tif 000016
【図１６】
0004442552.tif 000017
【図１７】
0004442552.tif 000018
【図１８】
0004442552.tif 000019
【図１９】
0004442552.tif 000020
【図２０】
0004442552.tif 000021
【図２１】
0004442552.tif 000022
【図２２】
0004442552.tif 000023